(57)【要約】【課題】効率の良い換気口を得るための換気口体を提供する。【解決手段】壁面取り付け時に外部露出する部分である上下部開放の外枠板を設け、外枠板に内接固着される有孔の内接板を設けるとともに、該内接板の孔にその端部が固着される筒状体を設け、外枠板の上下端に近接して、外枠板平面視と相似形の上板および下板を設けることにより、外枠板内面と上板および下板端部との距離を一定に保つよう構成したことを特徴とする。【選択図】図５
2007170797.tif 000002
【特許請求の範囲】
【請求項１】
壁面取り付け時に外部露出する部分である上下部開放の外枠板を設け、外枠板に内接固着される有孔の内接板を設けるとともに、該内接板の孔にその端部が固着される筒状体を設け、外枠板の上下端に近接して、外枠板平面視と相似形の上板および下板を設けることにより、外枠板内面と上板および下板端部との距離を一定に保つよう構成したことを特徴とする換気口体。
【請求項２】
外枠板と内接板の組み合わせに代えて、外枠板折曲による一体形成としてなる請求項１記載の換気口体。
【請求項３】
上板と下板の双方もしくは一方を、外枠板平面視と非相似形に形成してなる請求項１または２記載の換気口体。
【発明の詳細な説明】
【技術分野】
【０００１】  この発明は、温度差換気と風力換気の双方の作用にて室内空気を効率よく換気することのできる換気口体に関する。
【背景技術】
【０００２】  従来より、住宅等には室内換気のための換気口が装備されているが、自然換気口としては家屋の外壁の比較的高所の位置に形成した換気口を下向きに開口したフード本体で覆う形式のものが大半であり、本発明にて示すように、上下部に通気部分を有して温度差換気と風力換気の双方を行うことのできる換気口は現在のところ見当たらない。
【発明の開示】
【発明が解決しようとする課題】
【０００３】  一般住宅においては以前に比べて高断熱・高気密化が進んできている。そのため、従来の自然換気口では給排気を一つの開口部で行うため換気効率が低く、結露や酸欠による不完全燃焼、タバコの煙や臭いの充満、カビ・ダニ等の増加、内装材の有害化学物質に起因するシックハウス症候群などが問題視されている。既述のように従来の換気口は下向き開口のため、暖かい空気が部屋の上部にたまりやすく、温度差換気の効率が低く、また、下方から上方に向かう風向きにてこの外気が室内に流入して室内温度に影響を及ぼしがちである。さらに、従来の換気口は通気率や換気有効面積が少なく、良好な換気を得にくいものであった。
本発明は、以上のような従来からの換気口の有する課題を解決するために発明されたもので、上下に通気口を設けることによって温度差換気と風力換気の双方の作用による換気を可能にするとともに、風・雨の室内への流入を防ぐことのできる新規かつ有用なる換気口のための換気口体を提供することを目的として開発されたものである。
【課題を解決するための手段】
【０００４】  課題を解決する手段として本発明は、上下部開放の外枠板に筒状体を通気可能に設けてその主要部を構成した。
すなわち、壁面取り付け時に外部露出する部分である上下部開放の外枠板を設け、外枠板に内接固着される有孔の内接板を設けるとともに、該内接板の孔にその端部が固着される筒状体を設け、外枠板の上下端に近接して、外枠板平面視と相似形の上板および下板を設けることにより、外枠板内面と上板および下板端部との距離を一定に保つよう構成する。
本発明は、以上の構成よりなる換気口体である。なお、内接板を用いずに外枠板折曲による一体形成としてもよい。また、上板や下板を外枠板と非相似形としてもよい。
【発明の効果】
【０００５】  本発明によれば、上下部開放の外枠板に筒状体を通気可能に設け、外枠板の上下端に近接して外枠板平面視と相似形の上板および下板を設けたので、室内外の気温差による自然換気に加えて上下方向の外気風向による風力換気の双方の作用による換気を可能とし、雨・風の室内への流入を防止しつつ能率良く換気することのできる有用なる換気口体を得ることができる。また、上板と下板の傾斜角並びに水返し板を設けることによって、より一層の換気効率と雨水の浸入を防ぐことができる。
【発明を実施するための最良の形態】
【０００６】  以下、本発明の実施形態について説明する。
図において、１はステンレス板折曲にて形成される外枠板で、平面視三角形状であるとともにその折曲部から両端に向かうにつれて傾斜する上下端を有している。２は内接板で、ステンレスの長方形板体の四辺近傍を折曲して形成される。この内接板の折曲は、長辺部分と上方の短辺部分は鈍角に折曲され、下方の短辺部分は直角に折曲され、この鈍角折曲長辺部分が前記外枠板の端部に内接固着される。また、内枠板の折曲部に連続して上方に折曲伸延される取付部３が一体に形成され、この取付部には取り付け孔４が適宜に穿設される。また、内接板のほぼ中央には孔が穿設される。
５は上板で、外枠板平面視と相似形の三角形板体で、その底辺は略直角に上方へ折曲され、この折曲部分は取付のための孔を有するとともに前記取付部に固着される。６は下板で、上板と同形物であり、その折曲部は内接板に固着される。なお、上板と下板ともに外枠板の上端・下端と同一平面上にある。７は筒状体としての筒体で、等幅のステンレス板を円筒状に形成したもので、鍔部８を有してこの鍔部は内接板に筒状体と内枠板の孔を一致させて固着される。
９は水返し板で、筒状体に内接可能な円弧状部分と直線部分を有する略半月形の板体であり、筒状体端部下部に内接して固着される。１０は突片で、筒状体の一部を略コ字形に打ち抜いて突出した部分を一部折曲して形成され、外圧にて弾力を有して変形が可能であり、三等配に設けられる。以上の構成から、外枠板上部に上部通気口１１が下部に下部通気口１２が各々形成される。【０００７】  本発明を使用するには、壁面に設けた貫通孔に外部より筒体部分を挿入し、取り付け孔にビスを通して壁面にビス止めする。このとき、突片の変形による弾力にて筒体は貫通孔内に押圧保持される。また、壁面内部には市販の内側筒体を挿入保持させる。
以上にてセッティングは終了し、この状態において温度差換気と風力換気が可能となる。
温度差換気とは、室内外に温度差が生じた場合に、上部では外に向かう圧力が生じ、下部では内側に向かう圧力が生じることであり、つまり室内の中央より上方では室外に向かい中央より下方では室内に向かう圧力が生じることである。そのため、室内壁面の上部に開口部があれば換気作用が働くことになる。
すなわち、図５にて示すように、室内空気は筒体を通過して外枠板に至り、上方通気口より排出される。風力換気とは、風速差により生ずる低圧にて室内空気が吸い出されてなされる換気であり、ベルヌーイの定理によるものである。
図６は壁面に沿った上向き風向の場合を示すもので、外枠板の下部から上方に向かって風が吹くが、下板にてその一部はさえぎられ、残りが下部通気口より外枠板内に侵入して上部通気口より抜ける。この通過速度に比べて室内空気の移動速度は少ないので、外枠板内は室内より低圧となり、室内空気は吸い出されて外枠板内に入り、上部通気口より排出されて換気が行われる。
図７は逆に壁面に沿った下向き風向の場合で、上板にて風の一部がさえぎられるが一部は上部通気口より侵入して下部通気口より抜け、このとき同様に外枠板内は低圧となって室内空気は下部通気口より排出される。【０００８】  このように本例では上板および下板を設けたので、風や雨の室内への侵入を防止することができる。また、既述のように外枠板の上下端には傾斜を設け、上板と下板もこの傾斜に沿って設けたので室内空気がより屋外に出やすく、また下板傾斜のために外枠板内に侵入した雨を落下させることができる。そして筒体端には水返し板を設けたために雨水の室内への侵入を防ぐことができる。本例での外枠板内面と上板または下板端部との距離は５〜１５ｍｍの範囲が好ましく、これによって鳥等の外枠板内への侵入を防止することができる。
以上本発明について記したが、本発明は上下に通気口を有してそのために温度差換気と風力換気の双方にて能率的な換気を可能とするものである。従来の換気口は下向きに開口を有するので、上向き風向の時は風が室内に吹き込み、下向き風向の時は換気が十分に行われないなどの問題があったが、本発明にてこれらの欠点を解消することができるのである。なお、既述の例のように、外枠板と内接板との組み合わせ以外に、板体を折曲して内接板を兼ねる平面視三角形状の外枠板とする手段を用いてもよい。また、上板や下板を外枠板平面視と非相似形としてもよく、外枠板内面と適度の距離が保たれればよい。筒体の鍔部を設けずに直接的に固着してもよい。本例では円筒体を筒状体として用いたが、他に角形や多角形とすることもできる。
図８〜図９は本発明の変形例を示すもので、外枠板および上板と下板形状を変化させた例であり、機能上は前例と同様である。
以上のごとく、本発明によって能率的な換気を可能とする換気口体を得ることができる。
【図面の簡単な説明】
【０００９】
【図１】  本発明の平面図
【図２】  本発明の正面図
【図３】  本発明の左側面図
【図４】  Ａ−Ａ拡大断面図
【図５】  本発明の作用説明図
【図６】  本発明の作用説明図
【図７】  本発明の作用説明図
【図８】  本発明の他例説明図（平面視）
【図９】  本発明の他例説明図（平面視）
【符号の説明】
【００１０】  １    外枠板
２    内接板
３    取付部
４    取り付け孔
５    上板
６    下板
７    筒体
８    鍔部
９    水返し板
１０  突片
１１  上部通気口
１２  下部通気口
１３  内側筒体
２０  外枠板
２１  上板
２２  筒体
３０  外枠板
３１  上板
３２  筒体
【図１】
2007170797.tif 000003
【図２】
2007170797.tif 000004
【図３】
2007170797.tif 000005
【図４】
2007170797.tif 000006
【図５】
2007170797.tif 000007
【図６】
2007170797.tif 000008
【図７】
2007170797.tif 000009
【図８】
2007170797.tif 000010
【図９】
2007170797.tif 000011